(57)【要約】      （修正有）【課題】災害時避難時に人を搬送する際に、搬送する人の荷重の負担軽減化と、津波などの浸水時に有効なガス膨張方式の救命具的な機能を備えた椅子を提供する。【解決手段】脚部の役目をする前方フレーム１と後方フレーム３及び、座面部１１にて構成される。前後フレームは、可倒機構部２で係累固定され、使用時には、椅子本体を１８０°真逆にした後、可倒機構部の可倒解除／固定棒具を抜き取ることにより、後方フレームを地表面に対し水平に可倒することができる。また、左側可倒機構カバー１５の指示目印に従って、可倒解除／固定棒具を指示位置へ再び、差し込むことによりその水平状態を固定保持できる。被搬送者を座面部の生命維持浮袋１２上に着座させ、姿勢保持用固定ベルトを装着し前後の脚フレームを二人で持ち上げ避難所へ搬送する。周囲が浸水状態の場合は、生命維持浮袋の付属手動レバーを操作し、膨張袋体をガス膨張させる。【選択図】図１
0003192617.tif 000002
【実用新案登録請求の範囲】
【請求項１】
椅子の脚の役目をする前方フレームと後方フレーム及び、座面部で本椅子は基本構成され、また、前記の後方フレームは、可倒機構を有した構造となっており、非常時には椅子本体を180°真逆にして後方フレームを地表面に対し水平に固定保持し、被搬送者を迅速安全に移送可能な事を特徴とする災害時避難用椅子。
【請求項２】
椅子座面部の裏側に生命維持浮袋を設けた、実用新案登録請求の範囲請求項1記載の特徴とする災害時避難用椅子。
【請求項３】
椅子座面部に被搬送者を固定するベルト及び、生命維持浮袋周辺に、急流水などから身体が離れるのを防ぐ安全ベルトを設けた、実用新案登録請求の範囲請求項１記載の特徴とする災害時避難椅子。
【考案の詳細な説明】
【技術分野】
【０００１】
本考案は、災害避難時に人を迅速に安全に、搬送・救命するための椅子に関するものである。
【背景技術】
【０００２】
巨大津波や大地震の発生が懸念される中、人命救済に迅速な避難が求められるが、高齢者や障害者などの災害弱者を、より迅速に安全に避難させる効果的な搬送器具がない。現状では、背負子による「背負い避難」が有効と思われるが、当該器具では、一人で背負われる人を搬送することになり、背負い荷重の負担が比較的大きく長時間の移動及び、津波などの浸水時での避難行動が困難である。津波などに対し即応した機能を付加した、簡便で安全な避難用器具が求められている。
【先行技術文献】
【特許文献】
【０００３】
【特許文献１】先行技術文献は、特許登録第4031519号  発明の名称  地震避難用の椅子
【非特許文献】
【０００４】
【非特許文献１】該当なし。
【考案の概要】
【考案が解決しようとする課題】
【０００５】
解決しようとする課題は、災害時避難用椅子を用いて人を搬送する際に、運ぶ人の荷重の負担を軽減させる機能の他に、津波などの浸水時に有効な救命具的な機能を付加させた点である。
【課題を解決するための手段】
【０００６】
前記目的を達成するために、変形U字状に曲げた前方フレームパイプと、その後方にH字状に加工した後方フレームパイプで、本椅子は構成されている。前後フレームパイプの両端箇所に前後フレームパイプとを接合させる接合金具が取り付けられており、前後のフレームパイプを安定的に係累している。前記の接合金具部には後方フレームパイプの可倒機構が内蔵されており、本来の椅子としての安定した脚機能を果たしながらも、地震などの災害時には椅子本体を１８０°真逆にし、前記の前後のフレームパイプを係累固定している可倒機構部片側にある可倒機構カバー表示の指示位置に従い解除/固定棒具を抜き取る事により、容易に後方フレームパイプを地表面に対し水平に可倒させる事ができる。そして、水平状態を保持させる方法としては、解除/固定棒具を前記カバー表示の指示位置へ、再び差し込み後方フレームパイプを固定させる。次に、生命維持浮袋を手動動作によりガス膨張させた後、被搬送者を前方フレームパイプ側を背にして、浮袋上へ座らせ固定ベルトにより姿勢を安定させる。また、火急的な移動が必要な場合は、被搬送者の着座位置は前述の位置の真逆でも、側面座りでも最低限度の着座姿勢を保持させる事ができる。万一、津波による浸水が顕著な場合は、生命維持浮袋内に収納した安全ベルトを、素早く簡単に被搬送者の身体に巻き付け装着できる工夫もした。巻き付け装着する事により、流水の勢いから身体が生命維持浮袋より離れるのを未然に防止する。  
【考案の効果】
【０００７】
この考案の災害時避難用椅子は、脚の役目をする前方フレームと後方フレーム及び、椅子座面部で基本構成されている。また、椅子座面部の裏側には生命維持浮袋が取り付けられ、津波の浸水時には救命具的な機能を果たす。また、津波の一波の到達までの時間的猶予がある場合は、椅子を１８０°真逆にし、後脚フレームを地表面に対し水平方向へ可倒させ、生命維持浮袋上に被搬送者を着座させる事により、搬送機能へと素早く対応が可能な災害時避難用の椅子。また、簡易担架的な使い方もできる。次に、本考案の避難用椅子の主な設置場所としては、公共施設、介護・老人ホーム及び、病院などのロビーや待合室などの床面である。そして、フェリーや旅客船など船舶の甲板設置も有効と考える。地震発生後の津波接近時は前記の特異な機能により、迅速で安全な避難行動が可能となる。
【図面の簡単な説明】
【０００８】
【図１】本考案災害時避難用椅子の左前面からの基本的な全体枠と符号付き説明図。
【図２】本考案災害時避難用椅子の可倒機構部詳細(1)と符号付き説明図。
【図３】本考案災害時避難用椅子の可倒機構部詳細(2)と符号付き説明図。
【図４】本考案災害時避難用椅子の生命維持浮袋部詳細(1)と符号付き説明図。
【図５】本考案災害時避難用椅子の生命維持浮袋部詳細(2)と符号付き説明図。
【図６】本考案災害時避難用椅子を用い平地を移動する際の使用方法説明図。
【実施例】
【０００９】
本考案の実施例を図面に基づき説明する。
図１は本考案災害時避難用椅子の基本的な左前面斜視図を示す。
前後の脚フレームは、軽量かつ接合性に優れたアルミ又はチタンパイプなどを加工し形成する。椅子本体は、前後の脚フレームと可倒機構部及び、椅子座部並びに生命維持浮袋から構成される。前脚フレーム図1の1は正面方向から見るとU字形状に曲げた左右パイプ先端部が後側へ伸びた形をしている。その後端部に可倒機構部図1の2が取り付けられている。後脚フレーム図1の3は、H字に溶接接合したパイプで形成され、上端部には前記機構部が取り付けられており、そのパイプ下部には夜間の視認性に優れる夜光性グリップ図1の4が圧挿入されている。可倒機構部図1の2の詳細な構造は、前脚フレームの先端部のコの字形状をした可倒金具-イ図2の5が、前記の後脚フレーム図1の3の上端部には可倒金具-イを内包する可倒金具-ウ図2の6があり、可倒金具-イ、ウを中心接続軸図3の7により係累された構造を成している。また、後脚フレームを可倒する操作として、左側可倒機構カバー図1の15の側面に表示された可倒指示目印図3の10に従って、左側の係累されている可倒金具-イ及び、ウを解除する中心接続軸より外側へオフセットされた可倒解除/固定穴図3の8'から、抜き差し式の可倒固定/解除棒具図2の9を抜き取る事により、後脚フレーム図1の3の規制が解かれ可倒可能な状態になる。また、右側には係累可動軸図3の16が設けられ左側と連動可倒する構造とした。次に、後脚フレームを地表面に対し水平に固定保持する場合も、左側可倒機構カバーの側面に表示された可倒指示目印図3の10により、可倒解除/固定穴図3の8'に、抜き差し式の可倒解除/固定棒具を再び、差し込み前後脚フレームは係累固定される。そして、人間工学的に基づいた形状を有する椅子座部図1の11は、心材とクッション材を内包化する表皮材には防水処置を施されており、海水など吸水による重量の増加を防ぎ、若干の浮力を確保できる構造とした。次に、椅子座部裏面位置に取り付けられた生命維持浮袋図1の12は、炭酸ガスなどにより、手動レバー図5の13による任意操作と、浸水時に即応する水感知センサー図5の14による自動的に膨張させる機能を有し、救命を最大限考慮した構造の災害時避難用椅子。
【産業上の利用可能性】
【００１０】
本考案は、災害避難時に人を迅速搬送するための災害時避難用椅子に関するものである。
【符号の説明】
【００１１】
1．前脚フレーム
2．可倒機構部  
3. 後脚フレーム
4．夜光性グリップ 
5．可倒金具-イ
6．可倒金具-ウ
7．中心接続軸
8．可倒解除/固定穴  
9．可倒解除/固定棒具
10. 可倒指示目印
11．椅子座部    
12．生命維持浮袋
13. 手動レバー
14. 水感知センサー
15．可倒機構カバー
16．係累可動軸    
17．固定ベルト
18．安全ベルト
19．炭酸ガスボンベ
20. 膨張袋体
21. 背もたれの緩衝パッド
22. 搬送者-1
23. 搬送者-2
24. 被搬送者
【図１】
0003192617.tif 000003
【図２】
0003192617.tif 000004
【図３】
0003192617.tif 000005
【図４】
0003192617.tif 000006
【図５】
0003192617.tif 000007
【図６】
0003192617.tif 000008